(57)【要約】【課題】携帯端末と画像読取装置及び画像形成装置との間の通信方式に制約を生じさせることなく、画像読取装置で読み取られた読取画像に基づく画像形成を画像形成装置で行う。【解決手段】媒体から画像を読み取る画像読取装置と、媒体に画像を形成する画像形成装置とを備え、画像読取装置は、媒体から読み取られた読取画像を記憶し、自装置を識別する識別情報を携帯端末へ送信し、画像形成装置は、携帯端末から識別情報を受信し、識別情報により識別される画像読取装置で読み取られて記憶された読取画像の転送要求を、画像読取装置へ送信し、画像読取装置は、画像形成装置から転送要求を受信し、転送要求の受信に応じて、記憶された読取画像を画像形成装置へ送信し、画像形成装置は、読取画像を画像読取装置から受信し、読取画像に基づいて媒体に画像を形成することを特徴とする画像処理システム。【選択図】図５
2020053713.tif 000002
【特許請求の範囲】
【請求項１】
画像読取部により読み取られた読取画像を記憶する記憶手段と、
自装置を識別する識別情報を携帯端末へ送信する第１の送信手段と、
前記携帯端末から前記識別情報を受信した画像形成装置から、前記読取画像の転送要求を受信する受信手段と、
前記転送要求の受信に応じて、前記記憶手段に記憶された前記読取画像を前記画像形成装置へ送信する第２の送信手段と
備えたことを特徴とする画像読取装置。
【請求項２】
前記第２の送信手段は、前記受信手段が前記画像形成装置から前記識別情報を受信したかどうかに基づいて、前記読取画像を当該画像形成装置へ送信するかどうかを決定することを特徴とする請求項１に記載の画像読取装置。
【請求項３】
前記第２の送信手段は、前記受信手段が前記画像形成装置から前記識別情報を受信した場合に、前記読取画像を当該画像形成装置へ送信することを決定することを特徴とする請求項２に記載の画像読取装置。
【請求項４】
前記第２の送信手段は、前記受信手段が前記画像形成装置から前記識別情報を受信しなかった場合に、前記読取画像を当該画像形成装置へ送信しないことを決定することを特徴とする請求項２に記載の画像読取装置。
【請求項５】
前記記憶手段に記憶された前記読取画像が削除される時間として予め定められた時間である削除時間に当該読取画像を削除する削除手段を更に備えたことを特徴とする請求項１に記載の画像読取装置。
【請求項６】
前記画像読取部による前記読取画像の読み取りに応じて、前記識別情報を生成する生成手段と、
前記識別情報が生成された時間である生成時間と、予め定められた経過時間とから、前記削除時間を設定する設定手段と
を更に備えたことを特徴とする請求項５に記載の画像読取装置。
【請求項７】
前記携帯端末からの前記削除時間の変更要求に応じて、当該削除時間を変更する変更手段を更に備えたことを特徴とする請求項５に記載の画像読取装置。
【請求項８】
前記第１の送信手段は、前記変更手段が前記削除時間を変更した場合に、その旨の情報を携帯端末へ送信することを特徴とする請求項７に記載の画像読取装置。
【請求項９】
画像読取装置から当該画像読取装置を識別する識別情報を受信した携帯端末から、当該識別情報を受信する第１の受信手段と、
前記識別情報により識別される前記画像読取装置で読み取られて当該画像読取装置内に記憶された読取画像の転送要求を、当該画像読取装置へ送信する送信手段と、
前記転送要求に応じて前記画像読取装置が送信した前記読取画像を、当該画像読取装置から受信する第２の受信手段と、
前記読取画像に基づく画像形成を行う画像形成手段と
を備えたことを特徴とする画像形成装置。
【請求項１０】
前記第２の受信手段は、前記送信手段が前記識別情報を前記画像読取装置へ送信したかどうかに基づいて当該画像読取装置で送信するかどうかが決定された前記読取画像を当該画像読取装置から受信することを特徴とする請求項９に記載の画像形成装置。
【請求項１１】
前記第２の受信手段は、前記送信手段が前記識別情報を前記画像読取装置へ送信した場合に当該画像読取装置で送信すると決定された前記読取画像を当該画像読取装置から受信することを特徴とする請求項１０に記載の画像形成装置。
【請求項１２】
前記第２の受信手段は、前記送信手段が前記識別情報を前記画像読取装置へ送信しなかった場合に当該画像読取装置で送信しないと決定された前記読取画像を当該画像読取装置から受信しないことを特徴とする請求項１０に記載の画像形成装置。
【請求項１３】
コンピュータに、
画像読取装置を識別する識別情報を、当該画像読取装置から受信する第１の受信機能と、
前記画像読取装置で読み取られた読取画像であって、画像形成装置へ転送されて画像形成が行われる読取画像を記憶する当該画像読取装置を特定するための情報として、前記識別情報を、当該画像形成装置へ送信する第１の送信機能と
を実現させるためのプログラム。
【請求項１４】
前記コンピュータに、前記識別情報を前記画像読取装置から受信したことを示す受信済み情報を表示する表示機能を更に実現させるための請求項１３に記載のプログラム。
【請求項１５】
前記表示機能は、前記第１の送信機能が前記識別情報を前記画像形成装置へ送信すると、前記受信済み情報を消去することを特徴とする請求項１４に記載のプログラム。
【請求項１６】
前記コンピュータに、前記画像読取装置に記憶された前記読取画像が削除される時間として予め定められた時間である削除時間を表示する表示機能を更に実現させるための請求項１３に記載のプログラム。
【請求項１７】
前記コンピュータに、前記表示機能により表示された前記削除時間を変更する操作に応じて、前記画像読取装置に記憶された前記読取画像を変更後の削除時間に削除するようにする指示を送信する第２の送信機能を更に実現させるための請求項１６に記載のプログラム。
【請求項１８】
前記コンピュータに、前記画像読取装置に記憶された前記読取画像が変更後の削除時間に削除されるようになった場合に、その旨の情報を当該画像読取装置から受信する第２の受信機能を更に実現させるための請求項１７に記載のプログラム。
【請求項１９】
前記第２の受信機能は、前記第２の送信機能が前記識別情報を前記画像読取装置へ送信することにより当該画像読取装置に記憶された前記読取画像が変更後の削除時間に削除されるようになった場合に、その旨の情報を当該画像読取装置から受信することを特徴とする請求項１７に記載のプログラム。
【請求項２０】
媒体から画像を読み取る画像読取装置と、
媒体に画像を形成する画像形成装置と
を備え、
前記画像読取装置は、媒体から読み取られた読取画像を記憶し、自装置を識別する識別情報を携帯端末へ送信し、
前記画像形成装置は、前記携帯端末から前記識別情報を受信し、当該識別情報により識別される前記画像読取装置で読み取られて記憶された読取画像の転送要求を、当該画像読取装置へ送信し、
前記画像読取装置は、前記画像形成装置から前記転送要求を受信し、当該転送要求の受信に応じて、記憶された前記読取画像を当該画像形成装置へ送信し、
前記画像形成装置は、前記読取画像を前記画像読取装置から受信し、当該読取画像に基づいて媒体に画像を形成することを特徴とする画像処理システム。
【発明の詳細な説明】
【技術分野】
【０００１】
本発明は、画像読取装置、画像形成装置、プログラム及び画像処理システムに関する。
【背景技術】
【０００２】
モバイル端末のユーザが、受信されたＷｅｂページに示される指示に従って、画像形成装置に読み取らせた画像データを、例えば無線通信を介してモバイル端末内に取り込んだり、モバイル端末内に保存されている電子データを、例えば無線通信を介して画像形成装置に印刷させたりすることができるネットワークシステムは、知られている（例えば、特許文献１参照）。
【先行技術文献】
【特許文献】
【０００３】
【特許文献１】特開２０１３−２２９８９５号公報
【発明の概要】
【発明が解決しようとする課題】
【０００４】
ここで、画像読取装置で読み取られた読取画像を携帯端末に取り込み、携帯端末に保存された読取画像に基づく画像形成を画像形成装置で行う構成を採用した場合には、携帯端末と画像読取装置及び画像形成装置との間で読取画像を送受信する必要があるため、これらの間の通信方式に制約が生じてしまう。
【０００５】
本発明の目的は、携帯端末と画像読取装置及び画像形成装置との間の通信方式に制約を生じさせることなく、画像読取装置で読み取られた読取画像に基づく画像形成を画像形成装置で行うことにある。
【課題を解決するための手段】
【０００６】
請求項１に記載の発明は、画像読取部により読み取られた読取画像を記憶する記憶手段と、自装置を識別する識別情報を携帯端末へ送信する第１の送信手段と、前記携帯端末から前記識別情報を受信した画像形成装置から、前記読取画像の転送要求を受信する受信手段と、前記転送要求の受信に応じて、前記記憶手段に記憶された前記読取画像を前記画像形成装置へ送信する第２の送信手段と備えたことを特徴とする画像読取装置である。
請求項２に記載の発明は、前記第２の送信手段は、前記受信手段が前記画像形成装置から前記識別情報を受信したかどうかに基づいて、前記読取画像を当該画像形成装置へ送信するかどうかを決定することを特徴とする請求項１に記載の画像読取装置である。
請求項３に記載の発明は、前記第２の送信手段は、前記受信手段が前記画像形成装置から前記識別情報を受信した場合に、前記読取画像を当該画像形成装置へ送信することを決定することを特徴とする請求項２に記載の画像読取装置である。
請求項４に記載の発明は、前記第２の送信手段は、前記受信手段が前記画像形成装置から前記識別情報を受信しなかった場合に、前記読取画像を当該画像形成装置へ送信しないことを決定することを特徴とする請求項２に記載の画像読取装置である。
請求項５に記載の発明は、前記記憶手段に記憶された前記読取画像が削除される時間として予め定められた時間である削除時間に当該読取画像を削除する削除手段を更に備えたことを特徴とする請求項１に記載の画像読取装置である。
請求項６に記載の発明は、前記画像読取部による前記読取画像の読み取りに応じて、前記識別情報を生成する生成手段と、前記識別情報が生成された時間である生成時間と、予め定められた経過時間とから、前記削除時間を設定する設定手段とを更に備えたことを特徴とする請求項５に記載の画像読取装置である。
請求項７に記載の発明は、前記携帯端末からの前記削除時間の変更要求に応じて、当該削除時間を変更する変更手段を更に備えたことを特徴とする請求項５に記載の画像読取装置である。
請求項８に記載の発明は、前記第１の送信手段は、前記変更手段が前記削除時間を変更した場合に、その旨の情報を携帯端末へ送信することを特徴とする請求項７に記載の画像読取装置である。
請求項９に記載の発明は、画像読取装置から当該画像読取装置を識別する識別情報を受信した携帯端末から、当該識別情報を受信する第１の受信手段と、前記識別情報により識別される前記画像読取装置で読み取られて当該画像読取装置内に記憶された読取画像の転送要求を、当該画像読取装置へ送信する送信手段と、前記転送要求に応じて前記画像読取装置が送信した前記読取画像を、当該画像読取装置から受信する第２の受信手段と、前記読取画像に基づく画像形成を行う画像形成手段とを備えたことを特徴とする画像形成装置である。
請求項１０に記載の発明は、前記第２の受信手段は、前記送信手段が前記識別情報を前記画像読取装置へ送信したかどうかに基づいて当該画像読取装置で送信するかどうかが決定された前記読取画像を当該画像読取装置から受信することを特徴とする請求項９に記載の画像形成装置である。
請求項１１に記載の発明は、前記第２の受信手段は、前記送信手段が前記識別情報を前記画像読取装置へ送信した場合に当該画像読取装置で送信すると決定された前記読取画像を当該画像読取装置から受信することを特徴とする請求項１０に記載の画像形成装置である。
請求項１２に記載の発明は、前記第２の受信手段は、前記送信手段が前記識別情報を前記画像読取装置へ送信しなかった場合に当該画像読取装置で送信しないと決定された前記読取画像を当該画像読取装置から受信しないことを特徴とする請求項１０に記載の画像形成装置である。
請求項１３に記載の発明は、コンピュータに、画像読取装置を識別する識別情報を、当該画像読取装置から受信する第１の受信機能と、前記画像読取装置で読み取られた読取画像であって、画像形成装置へ転送されて画像形成が行われる読取画像を記憶する当該画像読取装置を特定するための情報として、前記識別情報を、当該画像形成装置へ送信する第１の送信機能とを実現させるためのプログラムである。
請求項１４に記載の発明は、前記コンピュータに、前記識別情報を前記画像読取装置から受信したことを示す受信済み情報を表示する表示機能を更に実現させるための請求項１３に記載のプログラムである。
請求項１５に記載の発明は、前記表示機能は、前記第１の送信機能が前記識別情報を前記画像形成装置へ送信すると、前記受信済み情報を消去することを特徴とする請求項１４に記載のプログラムである。
請求項１６に記載の発明は、前記コンピュータに、前記画像読取装置に記憶された前記読取画像が削除される時間として予め定められた時間である削除時間を表示する表示機能を更に実現させるための請求項１３に記載のプログラムである。
請求項１７に記載の発明は、前記コンピュータに、前記表示機能により表示された前記削除時間を変更する操作に応じて、前記画像読取装置に記憶された前記読取画像を変更後の削除時間に削除するようにする指示を送信する第２の送信機能を更に実現させるための請求項１６に記載のプログラムである。
請求項１８に記載の発明は、前記コンピュータに、前記画像読取装置に記憶された前記読取画像が変更後の削除時間に削除されるようになった場合に、その旨の情報を当該画像読取装置から受信する第２の受信機能を更に実現させるための請求項１７に記載のプログラムである。
請求項１９に記載の発明は、前記第２の受信機能は、前記第２の送信機能が前記識別情報を前記画像読取装置へ送信することにより当該画像読取装置に記憶された前記読取画像が変更後の削除時間に削除されるようになった場合に、その旨の情報を当該画像読取装置から受信することを特徴とする請求項１７に記載のプログラムである。
請求項２０に記載の発明は、媒体から画像を読み取る画像読取装置と、媒体に画像を形成する画像形成装置とを備え、前記画像読取装置は、媒体から読み取られた読取画像を記憶し、自装置を識別する識別情報を携帯端末へ送信し、前記画像形成装置は、前記携帯端末から前記識別情報を受信し、当該識別情報により識別される前記画像読取装置で読み取られて記憶された読取画像の転送要求を、当該画像読取装置へ送信し、前記画像読取装置は、前記画像形成装置から前記転送要求を受信し、当該転送要求の受信に応じて、記憶された前記読取画像を当該画像形成装置へ送信し、前記画像形成装置は、前記読取画像を前記画像読取装置から受信し、当該読取画像に基づいて媒体に画像を形成することを特徴とする画像処理システムである。
【発明の効果】
【０００７】
請求項１の発明によれば、携帯端末と画像読取装置及び画像形成装置との間の通信方式に制約を生じさせることなく、画像読取装置で読み取られた読取画像に基づく画像形成を画像形成装置で行うことができる。
請求項２の発明によれば、画像読取装置で読み取られた読取画像に基づく画像形成を画像形成装置で行うよう携帯端末から指示されたことがその画像読取装置に伝わったかどうかによって、その画像形成をその画像形成装置で行うかどうかを決定することができる。
請求項３の発明によれば、画像読取装置で読み取られた読取画像に基づく画像形成を画像形成装置で行うよう携帯端末から指示されたことがその画像読取装置に伝わった場合に、その画像形成をその画像形成装置で行うことができる。
請求項４の発明によれば、画像読取装置で読み取られた読取画像に基づく画像形成を画像形成装置で行うよう携帯端末から指示されたことがその画像読取装置に伝わらなかった場合に、その画像形成をその画像形成装置で行わないようにすることができる。
請求項５の発明によれば、画像読取装置で読み取られた読取画像が画像読取装置内に記憶され続けることによる画像読取装置の記憶容量の圧迫を抑制することができる。
請求項６の発明によれば、画像読取装置で読み取られた読取画像が読み取られてから予め定められた時間が経過するまで画像読取装置内に記憶され続けることによる画像読取装置の記憶容量の圧迫を抑制することができる。
請求項７の発明によれば、画像読取装置で読み取られた読取画像が画像読取装置内に記憶され続けることによる画像読取装置の記憶容量の圧迫を抑制しつつ、その読取画像に基づく画像形成を画像形成装置で行うまでの時間的猶予を与えることができる。
請求項８の発明によれば、画像読取装置で読み取られた読取画像に基づく画像形成を画像形成装置で行うまでの時間的猶予が与えられた場合に、そのことを知らせることができる。
請求項９の発明によれば、携帯端末と画像読取装置及び画像形成装置との間の通信方式に制約を生じさせることなく、画像読取装置で読み取られた読取画像に基づく画像形成を画像形成装置で行うことができる。
請求項１０の発明によれば、画像読取装置で読み取られた読取画像に基づく画像形成を画像形成装置で行うよう携帯端末から指示されたことがその画像読取装置に伝わったかどうかによって、その画像形成をその画像形成装置で行うかどうかを決定することができる。
請求項１１の発明によれば、画像読取装置で読み取られた読取画像に基づく画像形成を画像形成装置で行うよう携帯端末から指示されたことがその画像読取装置に伝わった場合に、その画像形成をその画像形成装置で行うことができる。
請求項１２の発明によれば、画像読取装置で読み取られた読取画像に基づく画像形成を画像形成装置で行うよう携帯端末から指示されたことがその画像読取装置に伝わらなかった場合に、その画像形成をその画像形成装置で行わないようにすることができる。
請求項１３の発明によれば、携帯端末と画像読取装置及び画像形成装置との間の通信方式に制約を生じさせることなく、画像読取装置で読み取られた読取画像に基づく画像形成を画像形成装置で行うことができる。
請求項１４の発明によれば、画像読取装置で読み取られた読取画像に基づく画像形成を画像形成装置で行うよう携帯端末から指示できることを知らせることができる。
請求項１５の発明によれば、画像読取装置で読み取られた読取画像に基づく画像形成を画像形成装置で行うよう携帯端末から指示したことを知らせることができる。
請求項１６の発明によれば、画像読取装置で読み取られた読取画像が削除される時間を知らせることができる。
請求項１７の発明によれば、画像読取装置で読み取られた読取画像が画像読取装置内に記憶され続けることによる画像読取装置の記憶容量の圧迫を抑制しつつ、その読取画像に基づく画像形成を画像形成装置で行うまでの時間的猶予を与えることができる。
請求項１８の発明によれば、画像読取装置で読み取られた読取画像に基づく画像形成を画像形成装置で行うまでの時間的猶予が与えられた場合に、そのことを知らせることができる。
請求項１９の発明によれば、画像読取装置で読み取られた読取画像に基づく画像形成を画像形成装置で行うまでの時間的猶予が携帯端末からの指示により与えられた場合に、そのことを知らせることができる。
請求項２０の発明によれば、携帯端末と画像読取装置及び画像形成装置との間の通信方式に制約を生じさせることなく、画像読取装置で読み取られた読取画像に基づく画像形成を画像形成装置で行うことができる。
【図面の簡単な説明】
【０００８】
【図１】本発明の実施の形態における画像処理システムの全体構成例を示した図である。
【図２】本発明の実施の形態における画像読取装置のハードウェア構成例を示した図である。
【図３】本発明の実施の形態における画像形成装置のハードウェア構成例を示した図である。
【図４】本発明の実施の形態における携帯端末のハードウェア構成例を示した図である。
【図５】本発明の実施の形態における画像処理システムを構成する各装置の機能構成例を示したブロック図である。
【図６】本発明の実施の形態における画像処理システムのスキャン時の動作例を示したシーケンス図である。
【図７】本発明の実施の形態における画像処理システムのプリント時の動作例を示したシーケンス図である。
【図８】本発明の実施の形態における画像処理システムの削除時間の変更時の動作例を示したシーケンス図である。
【図９】（ａ），（ｂ）は、本発明の実施の形態における携帯端末に表示される画面の例を示した図である。
【発明を実施するための形態】
【０００９】
以下、添付図面を参照して、本発明の実施の形態について詳細に説明する。
【００１０】
［画像処理システムの全体構成］
図１は、本実施の形態における画像処理システム１の全体構成例を示した図である。図示するように、この画像処理システム１は、画像読取装置１０と、画像形成装置３０ａ〜３０ｃと、携帯端末５０とを含む。画像読取装置１０及び画像形成装置３０ａ〜３０ｃは、通信回線８０に接続されている。その際、画像形成装置３０ａ〜３０ｃは、例えばＵＳＢ（Universal Serial Bus）ハブを介して通信回線８０に接続されていてもよい。ここで、画像読取装置１０、画像形成装置３０ａ〜３０ｃ、携帯端末５０は、ＮＦＣ（Near Field Communication）に対応しているものとする。従って、携帯端末５０は、ＮＦＣにより、画像読取装置１０及び画像形成装置３０ａ〜３０ｃと無線接続可能になっている。更に、画像読取装置１０、画像形成装置３０ａ〜３０ｃ、携帯端末５０は、Ｂｌｕｅｔｏｏｔｈ（登録商標）又は無線ＬＡＮに対応していることが望ましい。この場合、携帯端末５０は、Ｂｌｕｅｔｏｏｔｈ（登録商標）又は無線ＬＡＮにより、画像読取装置１０及び画像形成装置３０ａ〜３０ｃと無線接続可能になる。尚、図には、１つの画像読取装置１０及び１つの携帯端末５０しか示していないが、２つ以上の画像読取装置１０及び２つ以上の携帯端末５０を設けてもよい。また、図では、画像形成装置３０ａ〜３０ｃを示したが、これらを区別する必要がない場合は、画像形成装置３０と称することもある。図には、３つの画像形成装置３０しか示していないが、４つ以上の画像形成装置３０を設けてもよい。
【００１１】
画像読取装置１０は、紙等の記録媒体からの画像読取りを行う装置である。画像読取装置１０は、紙等の記録媒体への画像形成は行わないことを前提とするが、公衆回線への画像送信は行ってもよい。例えば、画像読取りのみを行う観点からはスキャナであり、画像読取り及び画像送信を行う観点からは送信側ファクシミリである。但し、以下では、紙等の記録媒体からの画像読取りを行う点のみに着目し、画像読取装置１０を「スキャナ」と捉えるものとする。
【００１２】
画像形成装置３０は、紙等の記録媒体への画像形成を行う装置である。画像形成装置３０は、紙等の記録媒体からの画像読取りは行わないことを前提とするが、公衆回線からの画像受信は行ってもよい。例えば、画像形成のみを行う観点からはプリンタであり、画像受信及び画像形成を行う観点からは受信側ファクシミリである。
【００１３】
携帯端末５０は、画像読取装置１０及び画像形成装置３０を用いてコピーを行うユーザにより使用されるコンピュータ装置である。尚、携帯端末５０は、例えば、スマートフォンによって実現するとよい。
【００１４】
［画像読取装置のハードウェア構成］
図２は、本実施の形態における画像読取装置１０のハードウェア構成例を示した図である。図示するように、画像読取装置１０は、ＣＰＵ（Central Processing Unit）１１と、ＲＡＭ（Random Access Memory）１２と、ＲＯＭ（Read Only Memory）１３と、ＨＤＤ（Hard Disk Drive）１４と、操作パネル１５と、画像読取部１６と、有線通信インターフェース（以下、「有線通信Ｉ／Ｆ」と表記する）１７と、近距離無線通信インターフェース（以下、「近距離無線通信Ｉ／Ｆ」と表記する）１８とを備える。
【００１５】
ＣＰＵ１１は、ＲＯＭ１３等に記憶された各種プログラムをＲＡＭ１２にロードして実行することにより、後述する各機能を実現する。
【００１６】
ＲＡＭ１２は、ＣＰＵ１１の作業用メモリ等として用いられるメモリである。ＲＯＭ１３は、ＣＰＵ１１が実行する各種プログラム等を記憶するメモリである。ＨＤＤ１４は、記憶手段の一例であり、画像読取部１６が読み取った画像データ等を記憶する例えば磁気ディスク装置である。
【００１７】
操作パネル１５は、各種情報の表示やユーザからの操作入力の受付を行う例えばタッチパネルである。ここで、操作パネル１５は、各種情報が表示されるディスプレイと、指やスタイラスペン等の指示手段で指示された位置を検出する位置検出シートとからなる。或いは、タッチパネルに代えて、ディスプレイ及びキーボードを用いてもよい。
【００１８】
画像読取部１６は、紙等の記録媒体に記録された画像を読み取る。ここで、画像読取部１６は、光源から原稿に照射した光に対する反射光をレンズで縮小してＣＣＤ（Charge Coupled Devices）で受光するＣＣＤ方式や、ＬＥＤ光源から原稿に順に照射した光に対する反射光をＣＩＳ（Contact Image Sensor）で受光するＣＩＳ方式のものを用いるとよい。
【００１９】
有線通信Ｉ／Ｆ１７は、通信回線８０を介して、画像形成装置３０との間で各種情報の送受信を行い、通信回線８０及びアクセスポイント７０を介して、携帯端末５０との間で各種情報の送受信を行う。近距離無線通信Ｉ／Ｆ１８は、ＮＦＣ、Ｂｌｕｅｔｏｏｔｈ（登録商標）等の近距離無線通信により、携帯端末５０との間で各種情報の送受信を行う。
【００２０】
［画像形成装置のハードウェア構成］
図３は、本実施の形態における画像形成装置３０のハードウェア構成例を示した図である。図示するように、画像形成装置３０は、ＣＰＵ（Central Processing Unit）３１と、ＲＡＭ（Random Access Memory）３２と、ＲＯＭ（Read Only Memory）３３と、ＨＤＤ（Hard Disk Drive）３４と、操作パネル３５と、画像形成部３６と、有線通信インターフェース（以下、「有線通信Ｉ／Ｆ」と表記する）３７と、近距離無線通信インターフェース（以下、「近距離無線通信Ｉ／Ｆ」と表記する）３８とを備える。
【００２１】
ＣＰＵ３１は、ＲＯＭ３３等に記憶された各種プログラムをＲＡＭ３２にロードして実行することにより、後述する各機能を実現する。
【００２２】
ＲＡＭ３２は、ＣＰＵ３１の作業用メモリ等として用いられるメモリである。ＲＯＭ３３は、ＣＰＵ３１が実行する各種プログラム等を記憶するメモリである。ＨＤＤ３４は、画像形成部３６における画像形成にて用いる画像データ等を記憶する例えば磁気ディスク装置である。
【００２３】
操作パネル３５は、各種情報の表示やユーザからの操作入力の受付を行う例えばタッチパネルである。ここで、操作パネル３５は、各種情報が表示されるディスプレイと、指やスタイラスペン等の指示手段で指示された位置を検出する位置検出シートとからなる。或いは、タッチパネルに代えて、ディスプレイ及びキーボードを用いてもよい。
【００２４】
画像形成部３６は、紙等の記録媒体に画像を形成する。ここで、画像形成部３６は、画像形成手段の一例であり、感光体に付着させたトナーを記録媒体に転写して像を形成する電子写真方式や、インクを記録媒体上に吐出して像を形成するインクジェット方式のものを用いるとよい。
【００２５】
有線通信Ｉ／Ｆ３７は、通信回線８０を介して、画像読取装置１０との間で各種情報の送受信を行い、通信回線８０及びアクセスポイント７０を介して、携帯端末５０との間で各種情報の送受信を行う。近距離無線通信Ｉ／Ｆ３８は、ＮＦＣ、Ｂｌｕｅｔｏｏｔｈ（登録商標）等の近距離無線通信により、携帯端末５０との間で各種情報の送受信を行う。
【００２６】
［携帯端末のハードウェア構成］
図４は、本実施の形態における携帯端末５０のハードウェア構成例を示した図である。図示するように、携帯端末５０は、演算手段であるＣＰＵ５１と、記憶手段であるＲＡＭ５２及びＲＯＭ５３と、各種情報の表示やユーザからの操作入力の受付を行うタッチパネル５４と、マイクロフォン等の音声入力機構５５と、スピーカ等の音声出力機構５６と、ＮＦＣ、Ｂｌｕｅｔｏｏｔｈ（登録商標）等の近距離無線通信により画像読取装置１０及び画像形成装置３０との間で各種情報の送受信を行う近距離無線通信Ｉ／Ｆ５７とを備える。また、基地局を介して無線通信を行うための無線回路５８及びアンテナ５９を備える。ここで、無線回路５８には、図示しないが、無線で送受信されるデジタルデータの信号処理を行うベースバンドＬＳＩが含まれるものとする。
【００２７】
［本実施の形態の概要］
本実施の形態では、このような画像処理システム１において、画像読取装置１０が、スキャンした画像データ（以下、「スキャンデータ」という）をＨＤＤ１４に記憶し、自装置を識別する識別情報（以下、「スキャナ情報」という）を携帯端末５０へ送信し、画像形成装置３０が、携帯端末５０からスキャナ情報を受信し、スキャンデータの転送要求を送信し、画像読取装置１０が、ＨＤＤ１４に記憶されたスキャンデータを画像形成装置３０へ送信する。
【００２８】
［画像処理システムの機能構成］
図５は、本実施の形態における画像処理システム１を構成する各装置の機能構成例を示したブロック図である。
【００２９】
まず、本実施の形態における画像読取装置１０の機能構成例について説明する。本実施の形態における画像読取装置１０は、第１受信部２１と、第１送信部２２と、スキャナ情報管理部２３と、スキャンデータ管理部２４と、第２受信部２５と、第２送信部２６と、削除時間設定部２７と、削除時間変更部２８とを備えている。
【００３０】
第１受信部２１は、有線通信Ｉ／Ｆ１７又は近距離無線通信Ｉ／Ｆ１８を介して各種情報を携帯端末５０から受信する。特に、スキャナ情報を含むペアリング要求を携帯端末５０から受信する。また、後述するように削除時間設定部２７が設定したスキャンデータを削除する時間（以下、「削除時間」という）の変更要求を、携帯端末５０から受信する。
【００３１】
第１送信部２２は、有線通信Ｉ／Ｆ１７又は近距離無線通信Ｉ／Ｆ１８を介して各種情報を携帯端末５０へ送信する。特に、後述するようにスキャナ情報管理部２３がスキャナ情報を生成すると、このスキャナ情報を携帯端末５０へ送信する。また、後述するように削除時間設定部２７が削除時間を設定すると、この削除時間を携帯端末５０へ送信する。更に、後述するようにスキャナ情報管理部２３が携帯端末５０とのペアリングが可能かどうかを判定すると、ペアリングの実行結果を携帯端末５０へ送信する。更にまた、後述するように削除時間変更部２８が削除時間の変更が可能かどうかを判定すると、削除時間の変更結果を携帯端末５０へ送信する。本実施の形態では、識別情報を携帯端末へ送信する第１の送信手段、及び、変更手段が削除時間を変更した旨の情報を携帯端末へ送信する第１の送信手段の一例として、第１送信部２２を設けている。
【００３２】
スキャナ情報管理部２３は、画像読取装置１０を識別する情報であるスキャナ情報を管理する。具体的には、画像読取部１６が画像を読み取ると、スキャナ情報を生成する。このとき、スキャナ情報を生成した時間を記憶しておく。また、第１受信部２１がペアリング要求を携帯端末５０から受信すると、携帯端末５０とのペアリングが可能かどうかを判定し、ペアリングが可能であればペアリングを実行する。更に、第２受信部２５がペアリング要求を画像形成装置３０から受信すると、画像形成装置３０とのペアリングが可能かどうかを判定し、ペアリングが可能であればペアリングを実行する。ここで、スキャナ情報は、画像形成装置３０及び携帯端末５０が画像読取装置１０を特定するために用いられる。本実施の形態では、識別情報を生成する生成手段の一例として、スキャナ情報管理部２３を設けている。
【００３３】
スキャンデータ管理部２４は、画像読取部１６が読み取ったスキャンデータを管理する。具体的には、画像読取部１６が画像を読み取ると、スキャンデータをＨＤＤ１４に保存する。また、ＨＤＤ１４に保存されたスキャンデータの送信要求を第２受信部２５が画像形成装置３０から受信すると、スキャンデータを送信可能かどうかを判定し、送信可能と判定すれば、スキャンデータをＨＤＤ１４から読み出す。更に、ＨＤＤ１４に保存されたスキャンデータがその削除時間に残っていた場合にスキャンデータを削除する。本実施の形態では、読取画像の一例として、スキャンデータを用いており、読取画像を削除する削除手段の一例として、スキャンデータ管理部２４を設けている。
【００３４】
第２受信部２５は、有線通信Ｉ／Ｆ１７を介して各種情報を画像形成装置３０から受信する。特に、スキャナ情報を含むペアリング要求を画像形成装置３０から受信する。また、ＨＤＤ１４に保存されたスキャンデータの送信要求を画像形成装置３０から受信する。本実施の形態では、読取画像の転送要求を受信する受信手段の一例として、第２受信部２５を設けている。
【００３５】
第２送信部２６は、有線通信Ｉ／Ｆ１７を介して各種情報を画像形成装置３０へ送信する。特に、スキャナ情報管理部２３が画像形成装置３０とのペアリングが可能かどうかを判定すると、ペアリングの実行結果を画像形成装置３０へ送信する。ここで、ペアリングが可能かどうかは、例えば、ペアリング要求に含まれるスキャナ情報が自身を特定するためのスキャナ情報であるかによって判定すればよい。また、スキャンデータ管理部２４がスキャンデータを送信可能と判定すると、スキャンデータ管理部２４が読み出したスキャンデータを画像形成装置３０へ送信する。本実施の形態では、読取画像を画像形成装置へ送信する第２の送信手段の一例として、第２送信部２６を設けている。
【００３６】
或いは、第２送信部２６は、スキャナ情報管理部２３が画像形成装置３０とのペアリングが可能と判定したかどうかに基づいて、スキャンデータ管理部２４が読み出したスキャンデータを画像形成装置３０へ送信するかどうかを決定してもよい。これは、第２の送信手段が、受信手段が画像形成装置から自装置を識別する識別情報を受信したかどうかに基づいて、読取画像を画像形成装置へ送信するかどうかを決定することの一例である。具体的には、スキャナ情報管理部２３が画像形成装置３０とのペアリングが可能と判定すれば、スキャンデータ管理部２４が読み出したスキャンデータを画像形成装置３０へ送信し、スキャナ情報管理部２３が画像形成装置３０とのペアリングが可能と判定しなければ、スキャンデータ管理部２４が読み出したスキャンデータを画像形成装置３０へ送信しないようにしてよい。前者は、第２の送信手段が、受信手段が画像形成装置から自装置を識別する識別情報を受信した場合に、読取画像を画像形成装置へ送信することを決定することの一例であり、後者は、第２の送信手段が、受信手段が画像形成装置から自装置を識別する識別情報を受信しなかった場合に、読取画像を画像形成装置へ送信しないことを決定することの一例である。
【００３７】
削除時間設定部２７は、ＨＤＤ１４に保存されたスキャンデータをスキャンデータ管理部２４が削除する時間である削除時間を設定する。ここで、削除時間の初期値は、スキャナ情報管理部２３が記憶しているスキャナ情報を生成した時間に予め定められた時間を加算することによって算出すればよい。本実施の形態では、削除時間を設定する設定手段の一例として、削除時間設定部２７を設けている。
【００３８】
削除時間変更部２８は、第１受信部２１が削除時間の変更要求を携帯端末５０から受信すると、削除時間設定部２７が設定した削除時間を変更可能か判定し、変更可能であれば、削除時間を変更する。本実施の形態では、削除時間を変更する変更手段の一例として、削除時間変更部２８を設けている。
【００３９】
次に、本実施の形態における画像形成装置３０の機能構成例について説明する。本実施の形態における画像形成装置３０は、第１受信部４１と、第１送信部４２と、スキャナ特定部４３と、第２受信部４４と、第２送信部４５と、画像出力部４６とを備えている。
【００４０】
第１受信部４１は、有線通信Ｉ／Ｆ３７又は近距離無線通信Ｉ／Ｆ３８を介して各種情報を携帯端末５０から受信する。特に、後述するようにスキャナ情報記憶部６２に記憶されたスキャナ情報を携帯端末５０から受信する。本実施の形態では、携帯端末から識別情報を受信する第１の受信手段の一例として、第１受信部４１を設けている。
【００４１】
第１送信部４２は、有線通信Ｉ／Ｆ３７又は近距離無線通信Ｉ／Ｆ３８を介して各種情報を携帯端末５０へ送信する。特に、ペアリングが成功したかどうかの判定結果を携帯端末５０へ送信する。
【００４２】
スキャナ特定部４３は、第１受信部４１がスキャナ情報を携帯端末５０から受信すると、このスキャナ情報に基づいて、スキャンデータの送信要求を送信する画像読取装置１０を特定する。
【００４３】
第２受信部４４は、有線通信Ｉ／Ｆ３７を介して各種情報を画像読取装置１０から受信する。特に、ペアリングの実行結果を、スキャナ特定部４３が特定した画像読取装置１０から受信する。また、スキャンデータをペアリング済の画像読取装置１０から受信する。本実施の形態では、読取画像を画像読取装置から受信する第２の受信手段の一例として、第２受信部４４を設けている。
【００４４】
或いは、第２受信部４４は、画像読取装置１０でスキャナ情報管理部２３が画像形成装置３０とのペアリングが可能と判定したかどうかに基づいて画像形成装置３０へ送信するかどうかが決定されたスキャンデータを、画像読取装置１０から受信してもよい。これは、第２の受信手段が、送信手段が画像読取装置を識別する識別情報を画像読取装置へ送信したかどうかに基づいて画像読取装置で送信するかどうかが決定された読取画像を画像読取装置から受信することの一例である。具体的には、画像読取装置１０でスキャナ情報管理部２３が画像形成装置３０とのペアリングが可能と判定すれば画像形成装置３０へ送信すると決定されたスキャンデータを、画像読取装置１０から受信し、画像読取装置１０でスキャナ情報管理部２３が画像形成装置３０とのペアリングが可能と判定しなければ画像形成装置３０へ送信しないと決定されたスキャンデータを、画像読取装置１０から受信しないようにしてよい。前者は、第２の受信手段が、送信手段が画像読取装置を識別する識別情報を画像読取装置へ送信した場合に画像読取装置で送信すると決定された読取画像を画像読取装置から受信することの一例であり、後者は、第２の受信手段が、送信手段が画像読取装置を識別する識別情報を画像読取装置へ送信しなかった場合に画像読取装置で送信しないと決定された読取画像を画像読取装置から受信しないことの一例である。
【００４５】
第２送信部４５は、有線通信Ｉ／Ｆ３７を介して各種情報を画像形成装置３０へ送信する。特に、スキャナ情報を含むペアリング要求を、スキャナ特定部４３が特定した画像読取装置１０へ送信する。また、スキャンデータの送信要求をペアリング済の画像読取装置１０へ送信する。本実施の形態では、読取画像の転送要求を画像読取装置へ送信する送信手段との一例として、第２送信部４５を設けている。
【００４６】
画像出力部４６は、第２受信部４４が受信したスキャンデータを画像形成部３６に出力する。
【００４７】
次いで、本実施の形態における携帯端末５０の機能構成例について説明する。本実施の形態における携帯端末５０は、受信部６１と、スキャナ情報記憶部６２と、表示部６３と、操作受付部６４と、送信部６５とを備えている。
【００４８】
受信部６１は、近距離無線通信Ｉ／Ｆ５７又は無線回路５８を介して各種情報を画像読取装置１０又は画像形成装置３０から受信する。特に、スキャナ情報を画像読取装置１０から受信する。また、ペアリングの実行結果を、画像読取装置１０から受信する。更に、削除時間の変更結果を、ペアリング済の画像読取装置１０から受信する。本実施の形態では、識別情報を画像読取装置から受信する第１の受信機能、及び、読取画像が変更後の削除時間に削除されるようになった旨の情報を画像読取装置から受信する第２の受信機能の一例として、受信部６１の機能を用いている。
【００４９】
スキャナ情報記憶部６２は、受信部６１が受信したスキャナ情報を記憶する。尚、このスキャナ情報は、送信部６５により画像形成装置３０へ送信されると削除されるようにしてもよい。
【００５０】
表示部６３は、受信部６１がスキャナ情報を受信した旨をタッチパネル５４に表示する。このとき、画像読取装置１０の削除時間設定部２７が設定した設定時間をタッチパネル５４に表示してもよい。また、送信部６５がスキャナ情報を画像形成装置３０へ送信し、この画像形成装置３０でスキャナ情報に基づいて特定された画像読取装置１０とのペアリングが成功すれば、タッチパネル５４におけるスキャナ情報を受信した旨の表示を解除する。更に、受信部６１が受信した削除時間に変更結果に合わせて、削除時間の表示を変更する。本実施の形態では、識別情報を画像読取装置から受信したことを示す受信済み情報を表示する表示機能、受信済み情報を消去する表示機能、及び、削除時間を表示する表示機能の一例として、表示部６３の機能を用いている。
【００５１】
操作受付部６４は、タッチパネル５４に表示されている設定時間を押下することで、ユーザからの削除時間の変更要求を受け付ける。
【００５２】
送信部６５は、近距離無線通信Ｉ／Ｆ５７又は無線回路５８を介して各種情報を画像読取装置１０又は画像形成装置３０へ送信する。特に、スキャナ情報記憶部６２に記憶されたスキャナ情報を画像形成装置３０へ送信する。また、スキャナ情報を含むペアリング要求を、画像読取装置１０へ送信する。尚、ペアリング要求を送信する画像読取装置１０は、スキャナ情報記憶部６２に記憶されたスキャナ情報に基づいて特定すればよい。更に、操作受付部６４が受け付けた変更後の削除時間を、ペアリング済の画像読取装置１０へ送信する。本実施の形態では、識別情報を画像形成装置へ送信する第１の送信機能、及び、読取画像を変更後の削除時間に削除するようにする指示を送信する第２の送信機能の一例として、送信部６５の機能を用いている。
【００５３】
［画像処理システムの動作］
図６は、本実施の形態における画像処理システム１のスキャン時の動作例を示したシーケンス図である。
【００５４】
まず、ユーザがフィーダ又はプラテンに原稿を置いてコピー開始を指示すると、画像読取装置１０は、画像読取部１６により、原稿から画像を読み取る（ステップ２０１）。そして、画像読取装置１０は、有線通信Ｉ／Ｆ１７により、自身に接続されている画像形成装置３０を検索し、自身に接続されている画像形成装置３０が何台あるかを判定する（ステップ２０２）。自身に接続されている画像形成装置３０が複数台あると判定すれば、画像読取装置１０は、画像読取部１６により画像を読み取った後、接続されている画像形成装置３０の一覧を操作パネル１５に表示し（ステップ２０３）、出力先の画像形成装置３０が選択されるまで処理を中断する。即ち、画像読取装置１０は、出力先の画像形成装置３０が選択されたかどうかを判定する（ステップ２０４）。出力先の画像形成装置３０が選択されたと判定しなければ、携帯端末５０がＮＦＣリーダライタにかざされることで、近距離無線通信Ｉ／Ｆ１８により、ＮＦＣを検知したかどうかを判定する（ステップ２０５）。そして、ＮＦＣを検知したと判定しなければ、処理をステップ２０３へ戻す。
【００５５】
ステップ２０２で自身に接続されている画像形成装置３０が１台のみであると判定した場合や、処理中断中にステップ２０５で携帯端末５０がかざされることなくステップ２０４で出力先の画像形成装置３０が選択された場合、画像読取装置１０は、部数、カラーモード等の印刷設定を入力する画面を操作パネル１５に表示する（ステップ２０６）。そして、ユーザが印刷設定を入力すると、画像読取装置１０は、入力された印刷設定を受け付け（ステップ２０７）、この印刷設定が反映されたスキャンデータを、ステップ２０２で１台と判定された画像形成装置３０又はステップ２０４で選択された画像形成装置３０へ送信する（ステップ２０８）。
【００５６】
これにより、画像形成装置３０は、スキャンデータを画像読取装置１０から受信する（ステップ４０１）。そして、画像形成部３６にてスキャンデータを印刷する（ステップ４０２）。
【００５７】
一方で、ユーザがＮＦＣに対応している携帯端末５０を画像読取装置１０のＮＦＣリーダライタにかざすと、画像読取装置１０は、近距離無線通信Ｉ／Ｆ１８により、ＮＦＣを検知したと判定する。この場合、スキャナ情報管理部２３が、画像読取装置１０を特定するためのスキャナ情報を生成する（ステップ２０９）。また、削除時間設定部２７が、スキャンデータを削除する時間である削除時間を設定する（ステップ２１０）。ここで、削除時間としては、例えば、スキャナ情報の生成時間に予め定められた経過時間を加算して得られた時間を設定するとよい。そして、第１送信部２２が、ステップ２０９で生成されたスキャナ情報と、ステップ２１０で設定された削除時間とを、携帯端末５０へ送信する（ステップ２１１）。尚、スキャナ情報及び削除時間の送信は、ハンドオーバー可能であれば、Ｂｌｕｅｔｏｏｔｈ（登録商標）、無線ＬＡＮ等の高速な通信方式に切り替えて行うとよい。
【００５８】
これにより、携帯端末５０では、受信部６１が、スキャナ情報及び削除時間を受信する（ステップ６０１）。そして、表示部６３が、スキャナ情報を取得した旨及び削除時間をタッチパネル５４に表示する（ステップ６０２）。また、スキャナ情報記憶部６２が、ステップ６０１で受信したスキャナ情報を記憶する（ステップ６０３）。
【００５９】
画像読取装置１０では、このようにしてスキャナ情報及び削除時間が携帯端末５０へ送信されると、スキャンデータ管理部２４が、ステップ２０１で読み取ったスキャンデータを、自身のＨＤＤ１４に蓄積しておく（ステップ２１２）。
【００６０】
ここで、ＨＤＤ１４に蓄積されたスキャンデータには、上述したように削除時間が設定されており、ユーザがコピー開始を指示したにも関わらずスキャンデータを削除時間までに出力しなければ、スキャンデータは削除される。即ち、画像読取装置１０では、スキャンデータ管理部２４が、ステップ２１０で設定された削除時間が経過したかどうかを判定する（ステップ２１３）。そして、削除時間が経過したと判定しなければ、ステップ２１３を繰り返し、削除時間が経過したと判定すれば、ステップ２１２でＨＤＤ１４に蓄積されたスキャンデータを削除する（ステップ２１４）。
【００６１】
図７は、本実施の形態における画像処理システム１のプリント時の動作例を示したシーケンス図である。
【００６２】
ユーザがスキャナ情報を保持する携帯端末５０を画像形成装置３０のＮＦＣのリーダライタにかざすと、携帯端末５０では、送信部６５が、ＮＦＣにより、スキャナ情報を画像形成装置３０へ送信する（ステップ６２１）。
【００６３】
すると、画像形成装置３０では、第１受信部４１が、ステップ６２１で送信されたスキャナ情報を携帯端末５０から受信する（ステップ４２１）。尚、スキャナ情報の受信は、ハンドオーバー可能であれば、Ｂｌｕｅｔｏｏｔｈ（登録商標）、無線ＬＡＮ等の高速な通信方式に切り替えて行うとよい。ステップ４２１でスキャナ情報が受信されると、スキャナ特定部４３が、このスキャナ情報に基づいて、スキャンデータの要求先である画像読取装置１０を特定する（ステップ４２２）。そして、第２送信部４５が、スキャナ情報を含むペアリング要求を、スキャンデータの要求先である画像読取装置１０へ送信する（ステップ４２３）。
【００６４】
これにより、画像読取装置１０では、第２受信部２５が、ステップ４２３で送信されたペアリング要求を画像形成装置３０から受信する（ステップ２２１）。そして、スキャナ情報管理部２３が、ペアリング可能かどうかを判定する（ステップ２２２）。ここでは、例えば、ペアリング要求に含まれるスキャナ情報が自身を特定するためのスキャナ情報であるかを判定する。或いは、別の処理を実行中でペアリングの処理を行えない状態にないかどうかを判定してもよい。ペアリングが可能であれば、スキャナ情報管理部２３は、ペアリングを実行する。その後、第２送信部２６が、ペアリングの実行結果を画像形成装置３０へ送信する（ステップ２２３）。
【００６５】
すると、画像形成装置３０では、第２受信部４４が、ステップ２２３で送信されたペアリングの実行結果を受信し（ステップ４２４）、ペアリングが成功したかどうかを判定する（ステップ４２５）。ペアリングが成功したと判定されれば、第１送信部４２が、その旨を示す判定結果を携帯端末５０へ送信し（ステップ４２６）、携帯端末５０では、表示部６３が、図６のステップ６０２で表示されたスキャナ情報を取得した旨及び削除時間の表示を解除する（ステップ６２２）。また、ペアリングが成功したと判定されれば、画像形成装置３０は、部数、カラーモード等の印刷設定を入力する画面を操作パネル３５に表示する（ステップ４２７）、そして、ユーザが印刷設定を入力すると、画像形成装置３０は、入力された印刷設定を受け付け（ステップ４２８）、この印刷設定及びスキャンデータの送信要求を、ステップ４２２で特定された画像読取装置１０へ送信することにより、印刷設定が反映されたスキャンデータの送信を要求する（ステップ４２９）。
【００６６】
これにより、画像読取装置１０では、第２受信部２５が、ステップ４２９で送信された印刷設定及びスキャンデータの送信要求を受信する（ステップ２２４）。そして、スキャンデータ管理部２４が、スキャンデータを送信可能かどうかを判定する（ステップ２２５）。ここでは、例えば、削除時間内に画像形成装置３０からスキャンデータの送信要求があり、ＨＤＤ１４にスキャンデータが蓄積されているかどうかを判定する。或いは、他の理由でスキャンデータを送れない状態にないかどうかを判定してもよい。スキャンデータを送信可能と判定されると、第２送信部２６が、印刷設定が反映されたスキャンデータを画像形成装置３０へ送信する（ステップ２２６）。
【００６７】
すると、画像形成装置３０では、第２受信部４４が、画像読取装置１０からのスキャンデータの受信が成功したかどうかを判定する（ステップ４３０）。スキャンデータの受信が成功したと判定されれば、画像出力部４６が、スキャンデータを画像形成部３６に出力することにより、画像形成部３６にてスキャンデータを印刷し（ステップ４３１）、一連のコピー処理が終了する。
【００６８】
一方、ステップ４２５でペアリングが成功したと判定されなかった場合や、ステップ４３０でスキャンデータの受信が成功したと判定されなかった場合、画像形成装置３０は、印刷が失敗した旨を操作パネル３５に表示する（ステップ４３２）。
【００６９】
ところで、本実施の形態では、削除時間を変更することが可能であり、例えば、ユーザは、携帯端末５０からＮＦＣ、Ｂｌｕｅｔｏｏｔｈ（登録商標）、無線ＬＡＮ等を介して、削除時間を延長する。
【００７０】
図８は、本実施の形態における画像処理システム１の削除時間の変更時の動作例を示したシーケンス図である。
【００７１】
ユーザが携帯端末５０のタッチパネル５４上の削除時間が表示された領域を押下すると、携帯端末５０では、操作受付部６４が、その押下する操作を受け付ける（ステップ６４１）。例えば、図６のステップ６０２で、図９（ａ）に示す画面が携帯端末５０のタッチパネル５４に表示されているので、領域５４１を押下する操作を受け付ける。すると、表示部６３が、削除時間を変更するための画面をタッチパネル５４に表示する（ステップ６４２）。例えば、図９（ｂ）に示す領域５４２を含む画面が携帯端末５０のタッチパネル５４に表示される。そして、送信部６５が、スキャナ情報を含むペアリング要求を画像読取装置１０へ送信する（ステップ６４３）。
【００７２】
これにより、画像読取装置１０では、第１受信部２１が、ステップ６４３で送信されたペアリング要求を携帯端末５０から受信する（ステップ２４１）。そして、スキャナ情報管理部２３が、ペアリング可能かどうかを判定する（ステップ２４２）。ここでは、例えば、ペアリング要求に含まれるスキャナ情報が自身を特定するためのスキャナ情報であるかを判定する。或いは、別の処理を実行中でペアリングの処理を行えない状態にないかどうかを判定してもよい。ペアリングが可能であれば、スキャナ情報管理部２３は、ペアリングを実行する。その後、第１送信部２２が、ペアリングの実行結果を携帯端末５０へ送信する（ステップ２４３）。
【００７３】
すると、携帯端末５０では、受信部６１が、ステップ２４３で送信されたペアリングの実行結果を受信し（ステップ６４４）、ペアリングが成功したかどうかを判定する（ステップ６４５）。このとき、ユーザは、例えば、ステップ６４２で表示された図９（ｂ）に示す画面の領域５４２で変更後の削除時間を指定することにより、削除時間の変更要求を入力している。従って、ペアリングが成功したと判定されれば、携帯端末５０では、操作受付部６４が、この入力された削除時間の変更要求を受け付け（ステップ６４６）、送信部６５が、この削除時間の変更要求を、画像読取装置１０へ送信する（ステップ６４７）。
【００７４】
これにより、画像読取装置１０では、第１受信部２１が、ステップ６４７で送信された削除時間の変更要求を携帯端末５０から受信する（ステップ２４４）。そして、削除時間変更部２８が、削除時間を変更可能かどうかを判定する（ステップ２４５）。ここでは、例えば、変更後の削除時間が許可された時間であるかどうかを判定する。変更後の削除時間が許可された時間であることの例としては、変更後の削除時間が、過去の時間でないことや、現在設定されている削除時間から予め定めた閾値以上の時間が経過した時間でないこと等がある。削除時間を変更可能であれば、削除時間変更部２８は、削除時間を変更する。その後、第１送信部２２が、削除時間の変更結果を携帯端末５０へ送信する（ステップ２４６）。
【００７５】
すると、携帯端末５０では、受信部６１が、ステップ２４６で送信された削除時間の変更結果を受信し（ステップ６４８）、削除時間の変更が成功したかどうかを判定する（ステップ６４９）。削除時間の変更が成功したと判定されれば、携帯端末５０では、表示部６３が、削除時間の変更が成功した旨をタッチパネル５４に表示する（ステップ６５０）。
【００７６】
一方、ステップ６４５でペアリングが成功したと判定されなかった場合や、ステップ６４９で削除時間の変更が成功したと判定されなかった場合、携帯端末５０では、表示部６３が、削除時間の変更が失敗した旨をタッチパネル５４に表示する（ステップ６５１）。
【００７７】
［プログラム］
本実施の形態における携帯端末５０が行う処理は、例えば、アプリケーションソフトウェア等のプログラムとして用意される。
【００７８】
即ち、本実施の形態を実現するプログラムは、コンピュータに、画像読取装置を識別する識別情報を、画像読取装置から受信する第１の受信機能と、画像読取装置で読み取られた読取画像であって、画像形成装置へ転送されて画像形成が行われる読取画像を記憶する画像読取装置を特定するための情報として、識別情報を、画像形成装置へ送信する第１の送信機能とを実現させるためのプログラムとして捉えられる。
【００７９】
尚、本実施の形態を実現するプログラムは、通信手段により提供することはもちろん、ＣＤ−ＲＯＭ等の記録媒体に格納して提供することも可能である。
【符号の説明】
【００８０】
１０…画像読取装置、２１，４１…第１受信部、２２，４２…第１送信部、２３…スキャナ情報管理部、２４…スキャンデータ管理部、２５，４４…第２受信部、２６，４５…第２送信部、２７…削除時間設定部、２８…削除時間変更部、３０…画像形成装置、４３…スキャナ特定部、４６…画像出力部、５０…携帯端末、６１…受信部、６２…スキャナ情報記憶部、６３…表示部、６４…操作受付部、６５…送信部
【図１】
2020053713.tif 000003
【図２】
2020053713.tif 000004
【図３】
2020053713.tif 000005
【図４】
2020053713.tif 000006
【図５】
2020053713.tif 000007
【図６】
2020053713.tif 000008
【図７】
2020053713.tif 000009
【図８】
2020053713.tif 000010
【図９】
2020053713.tif 000011